(57)【要約】      （修正有）【課題】一般住宅で空気清浄用に用いる室内装飾板であって、模様状に貼着した硬質木炭薄片による臭気や不快ガスの除去をする。【解決手段】積層板紙又は桐板その硬質の他合成樹脂製気泡板などの板状体に、動物、静物その他、山水、風景画の模様状押型凹陥部を形成し、その凹陥部に、硬質木炭薄片を貼着してなる臭気及び不快ガスを吸収除去する室内装飾板である。【選択図】図１
0003135066.tif 000002
【実用新案登録請求の範囲】
【請求項１】
積層板紙又は桐板その他、合成樹脂製独立気泡発泡板などの板状体に、動物、静物その他、山水、風景画などの模様状押型凹陥部を多数形成し、その凹陥部に、硬質木炭薄片を貼着してなる臭気及び不快ガスを吸収除去する室内装飾板。
【請求項２】
硬質木炭薄片は備長炭であることを特徴とする請求項１記載の室内装飾板。
【請求項３】
室内装飾板は額縁又は置物であることを特徴とする請求項１記載の室内装飾板。
【考案の詳細な説明】
【技術分野】
【０００１】  本考案は、室内に飾る額縁又は置物として備えておく装飾板に関し、臭気や有害ガスなどの吸収材として、主として備長炭など硬質の木炭の薄片を、模様状押型凹陥部に接着剤で貼着してなる室内の装飾と空気の浄化を図ることを目的とした室内装飾板に関する。
【背景技術】
【０００２】  現代の地表を見るとき、車の排気ガスや建築材料から発生する例えばホルムアルデヒド及び空気中に舞う炭酸ガスその他の汚染された不快ガスは、日常生活上で吸入を余儀なくされるもので、喘息やアトピー性皮膚炎などアレルギーの要因となり、避けられない弊害
0003135066.tif 000003
【０００３】  それらの弊害を最小限に止めるために、密閉性の高い近代住宅では換気のための換気扇やエアコンを必要とし、和風の一般家庭や、旅館などでも臭気などのこもる所には、炭火に使われる木炭をそのまま、ざるなどに入れて棚に置いたり下駄箱に入れて除臭を図っているのを見かけることがあるが、いわゆる木炭が優れた効果を有することはよく知られている。【０００４】  しかしながら、質の柔らかい木材原料から作られている木炭は、それ自体脆弱で直に触れると汚れが着いたり、長期間の使用により脆弱化して周辺を汚したりするため、取り扱いには注意を払わねばならないなどの問題がある。その点、備長炭は極めて硬質なため洗浄して乾燥したものは、汚れを最小限に止めることが出来、汚染ガス吸収材として優れている。【０００５】  木炭の内部には無数の極微細な連通した空隙を有し、炭酸ガス、フォルムアルデヒドその他の化学的なガスや、人の体臭やペットの匂いなど当人には判らない悪臭を吸収する効果があり、その他にも米の炊飯時に添加使用することによって、御飯の匂いを取るのに用いたりすることも一般に知られている。【０００６】
0003135066.tif 000004
られているが、このものは、木炭の切株の年輪を装飾的効果として表す目的で額に入れて置くもので、表にガラス板を配するため木炭の機能としての通気性、消臭性、殺菌性などを意図して製作されたものではない。
【考案の開示】
【考案が解決しようとする課題】
【０００７】  本考案は、一般家庭における子供部屋やリビングルーム、座敷に、装飾的な置物や額縁として板状体に描かれた墨又は色彩をもつ絵画の窪みに硬質木炭薄片を貼着して、部屋の悪臭や不快なガス及び病菌類を吸収せしめ、かつ、木炭に触れても汚れが着いてしまうこともなく、快適に部屋の空気を浄化出来る室内装飾板の提供を課題とする。
【課題を解決するための手段】
【０００８】  本考案は、以下に記載する構成を有する。
１  積層板紙又は桐板その他合成樹脂製独立気泡発泡板などの板状体に、動物、静物その他、山水、風景画などの模様状押型凹陥部を多数形成し、その凹陥部に、硬質木炭薄片を貼着してなる臭気及び不快ガスを吸収除去する室内装飾板に係る。
２  そこにおいて使用する硬質木炭薄片として硬質の樫類から製した木炭であって、とりわけ紀伊熊野産の姥女樫を高温で蒸し焼きにした備長炭が最も適している。
３  上記室内装飾板は、額縁に納めて飾ってもよし、又、室内適宜の場所に置物として飾る方法を採ってもよい。
【考案の効果】
【０００９】  備長炭は非常に硬質で、前記したように悪臭や有害ガス及び細菌類などを効率よく吸収して、部屋の空気を浄化して雰囲気を清潔に保つことが出来る。長期に使用するに当たっては、当該、室内装飾板を天日に晒すことにより、ものによっては水洗して乾燥し機能の復元を図ることが出来る。【００１０】  積層板紙や桐の板には、色彩画や墨絵など好みの絵を描きこの板全体に不連続、不揃いの多数の浅い型付け模様を形成したものに、１．５ｍｍから５．０ｍｍ程度の厚み、好ましくは２．０ｍｍにスライスした硬質木炭薄片を割って、不揃いの凹陥部に合わせるように、熟年者の遊び又は子供たちのパズル遊びの中で、接着剤で貼り付けて行けばよく、遊び心で製作でき、養老院や保育園での頭脳ゲームとして利用しうる効果を有するものである。【００１１】  硬質木炭薄片は１．５ｍｍから５．０ｍｍの厚さにカットして、水中で一旦洗浄して微粉末を除去して、天然又は合成ゴム接着剤で模様状押型凹陥部に貼着させるため、それに触れても汚れが着くことも無く、極微細孔による気体、細菌の吸収効果は抜群と言える。
【考案を実施するための最良の形態】
【００１２】  ここに使用する板状体は、何れも厚みが３．０ｍｍ〜７．０ｍｍの多層抄き合わせ積層板紙が好ましく、これに押型凹陥部を形成するには、簡単に層分離しない程度の接合性を具備していれば容易に押型凹陥部を型板で押圧して形成しうる。【００１３】  その他の板状体としては、桐の木の板がよいが押型凹陥部を形成する際に輪郭が若干ささくれる危惧があるが、適当な水分の散布で防止することが出来、押型凹陥部もさほど深いものでもなく、表面から直角に押し込むものでなく窪みへなだらかな傾斜を持っているから製作上支障にはならない。また、装飾板は型押し以外には２．０ｃｍ２〜５．０ｃｍ２の打ち抜き部分を多数設けて、板を裏打ちして表に木炭片を貼り付けて製する事も出来る。【００１４】  また、合成樹脂製の板としては、比較的硬質の発泡体の板、即ちポリスチロール、ポリオレフィン、ポリ塩化ビニルなどの独立気泡板からなる板状体も使用できる。
接着剤としては、一般に市販されている天然ゴム系、ブタジエンアクリロニトリルゴム、ブタジエンスチレンゴム他合成樹脂の非溶剤である澱粉糊も含め、合成ゴム系の接着剤及びアクリレート、酢酸ビニルなどを使用する。【００１５】  そうして作成した室内装飾板は、黒色の木炭に吸気機能を減殺しない程度に色彩を描いて美観を与える事も、本考案の技術範囲に入る。硬質木炭薄片は、紀伊熊野産の姥女樫を蒸し焼きにした備長炭が最適であるが、樫の木のように非常に硬質な樹木を原材料として備長炭のように高温で作られた木炭であれば同様に使用可能である。【００１６】  硬質木炭薄片は固いため意図する様には割れないから、押型凹陥部の形と適合するものを選びながら貼り付けて行く途上で、最終的に残る隙間に適合するものが無い場合には、薄い補助片（一例として木、プラスチック）を貼り付けてからグラインダーで周囲を削って調達する。前記したが硬質木炭薄片は薄くカットしてから砕くが、付着している微粉末は十分に洗浄してミクロ的な微細孔の機能を十二分に生かす事は言うまでもない。【００１７】  室内装飾板として、額縁、置物としての絵画には好みの絵を描くことにより、押型凹陥部全体に硬質木炭薄片をどの程度貼って行くかは所望による。絵としては、子供部屋にピカチュー、ポケモン、ドラエモンなどを、また、リビングルームや座敷には山水の色彩風景画や水墨画として製作すればよい。
【実施例】
【００１８】  実施例を図面との対比の上で述べれば、図１は、室内装飾板の部分拡大側面図て、１は板状体で、大気中においては普通１８％程度の水分を持つが、これに水分をスプレーして６０％程に保ってエンボス加工して、その模様状押型凹陥部２の接着剤層３により硬質木炭薄片４を貼着したもので、板状体１は、適宜周囲を装飾して置物にするか、額縁に収納して壁掛けにして飾る。【００１９】  図２は、多層抄き合わせ板紙に虎の模様を描き、これに押型凹陥部２を型押しし、接着剤３によって硬質木炭薄片４を貼着した額縁正面図で、部屋の広さに応じて必要な大きさを設定する。押型凹陥部２を形成するに当たって、風景画ならその絵のうち、湖なら湖だけ押型凹陥部２とすればよいが押型盤で型付する場合、部分的に押型するのが困難であるから全体的に押型して、所望の部分に硬質木炭薄片４をセットすればよい。
【産業上の利用可能性】
【００２０】  今の生活環境を見るとき、一見きれいに見える空気、大気でも相当に汚染されているものと伺えるところ、オキシダントやダイオキシンその他インフルエンザなどの病原菌の散乱などを避けなければならず、また、家屋の中においても安心していられない。そのような中にあって、老人、子供の頭の体操を兼ねて、悪臭や有害気体、病原菌を効率よく吸収して空気の浄化を図ることが出来る室内装飾板として、今後益々需要を高める傾向は強いと考えられる。
【図面の簡単な説明】
【００２１】
【図１】本考案に係る装飾板側面図
【図２】本考案に係る額縁正面図
【符号の説明】
【００２２】  １  板状体
２  押型凹陥部
３  接着剤層
４  硬質木炭薄片
【図１】
0003135066.tif 000005
【図２】
0003135066.tif 000006
【手続補正書】
【提出日】平成19年5月14日(2007.5.14)
【手続補正１】
【補正対象書類名】明細書
【補正対象項目名】００１７
【補正方法】変更
【補正の内容】
【００１７】  室内装飾板として、額縁、置物としての絵画には好みの絵を描くことにより、押型凹陥部全体に硬質木炭薄片をどの程度貼って行くかは所望による。絵としては、子供部屋にピカチュー、ポケモン、ドラエモン（その３つとも登録商標である）などを、また、リビングルームや座敷には山水の色彩風景画や水墨画として製作すればよい。